(57)【要約】【課題】サービスに応じて異なる優先度の信号を転送する場合、高い優先度のサービスの信号の転送待ち時間を低減することが可能である加入者線端局装置及び信号転送方法を提供する。【解決手段】加入者線端局装置は、低い優先度のサービスの低優先信号と高い優先度のサービスの高優先信号とを到来順に取得する取得部と、低優先信号及び高優先信号を優先度ごとに格納するバッファと、低優先信号を記録媒体に複製する複製処理部と、低優先信号をバッファから転送中に高優先信号をバッファが格納したか否かを判定する制御部と、低優先信号をバッファから転送中に高優先信号をバッファが格納したと判定された場合、低優先信号の転送を停止してから高優先信号の転送を開始し、高優先信号の転送の完了後に、複製された未転送の低優先信号をバッファから転送する転送部とを備える。【選択図】図１
2019129384.tif 000002
【特許請求の範囲】
【請求項１】
低い優先度のサービスの低優先信号と高い優先度のサービスの高優先信号とを到来順に取得する取得部と、
前記低優先信号及び前記高優先信号を前記優先度ごとに格納するバッファと、
前記低優先信号を記録媒体に複製する複製処理部と、
前記低優先信号を前記バッファから転送中に前記高優先信号を前記バッファが格納したか否かを判定する制御部と、
前記低優先信号を前記バッファから転送中に前記高優先信号を前記バッファが格納したと判定された場合、前記低優先信号の転送を停止してから前記高優先信号の転送を開始し、前記高優先信号の転送の完了後に、複製された未転送の前記低優先信号を前記バッファから転送する転送部と
を備える加入者線端局装置。
【請求項２】
前記低優先信号を前記バッファから転送中に前記高優先信号を前記バッファが格納したと判定された場合、前記低優先信号のフレームを分割する分割処理部を更に備え、
前記転送部は、分割された前記フレームの区切りで、転送中の前記低優先信号の転送を停止する、請求項１に記載の加入者線端局装置。
【請求項３】
前記分割処理部によって分割されたフレームの前記低優先信号を前記バッファから削除する削除処理部を更に備える、請求項２に記載の加入者線端局装置。
【請求項４】
前記低優先信号を前記転送部が転送中に前記高優先信号を前記バッファが格納した場合、前記取得部に新たに取得された前記低優先信号のサービスの優先度が更に低くなるように、前記バッファにおける前記低優先信号の格納先のキューを変更する変更処理部を更に備える、請求項１から請求項３のいずれか一項に記載の加入者線端局装置。
【請求項５】
加入者線端局装置が実行する信号転送方法であって、
低い優先度のサービスの低優先信号と高い優先度のサービスの高優先信号とを到来順に取得するステップと、
前記低優先信号及び前記高優先信号を前記優先度ごとに格納するステップと、
前記低優先信号を記録媒体に複製するステップと、
前記低優先信号を前記バッファから転送中に前記高優先信号を前記バッファが格納したか否かを判定するステップと、
前記低優先信号を前記バッファから転送中に前記高優先信号を前記バッファが格納したと判定された場合、前記低優先信号の転送を停止してから前記高優先信号の転送を開始し、前記高優先信号の転送の完了後に、複製された未転送の前記低優先信号を前記バッファから転送するステップと
を含む信号転送方法。
【発明の詳細な説明】
【技術分野】
【０００１】
本発明は、加入者線端局装置及び信号転送方法に関する。
【背景技術】
【０００２】
ＰＯＮ（Passive optical network）システムによって１本の光ファイバに束ねられた複数の回線を基地局に収容する方法が、光アクセスリンクの低コスト化を図る目的で検討されている（非特許文献１参照）。
【０００３】
ＰＯＮシステムが提供するサービスは、ＦＴＴＨ（Fiber to the home）等の多数（Mass）向けのサービスが中心であった。近年では、モバイルシステム等の低遅延サービスをＰＯＮシステムが提供することも検討されている（非特許文献２参照）。
【０００４】
ベースバンド処理を実行するＢＢＵ（Base Band Unit）と無線処理を実行するＲＲＨ（Remote Radio Head）とが分離されているモバイルシステムでは、光装置及び光ファイバを含む光リンクによって、ＢＢＵ及びＲＲＨが互いに結ばれている。この光リンクは、モバイルフロントホール（MFH: Mobile Front-Haul）と呼ばれている。
【０００５】
図７は、モバイルフロントホールの構成の例を示す図である。図７では、光装置及び光ファイバ２００を含む光リンクによって、ＢＢＵ及びＲＲＨが互いに結ばれている。ＢＢＵは、加入者線端局装置（OLT: Optical Line Terminal）を備える。ＢＢＵは、加入者線端局装置よりも上位のネットワークに接続される上位装置を更に備えてもよい。加入者線端局装置は、基地局においてベースバンド処理を実行する。ＲＲＨは、基地局の外部において無線処理を実行する。ＲＲＨから送信された電波は、スモールセル２１０を形成する。以下、上位装置から加入者線終端装置(ONU: Optical network unit)に向かう方向を「下り」という。ＲＲＨは、下りの光信号に復調処理を施す光装置である加入者線終端装置に接続されている。
【０００６】
非特許文献２には、モバイルフロントホールの上り信号の低遅延性を担保する光通信システムが開示されている（非特許文献２参照）。以下、モバイルフロントホールのサービスではないサービスを「他サービス」という。以下では、他サービスの信号を「他サービス信号」という。特許文献１には、モバイルフロントホールのサービスと所定の他サービスとを提供するＴＤＭ（Time division multiplexed）−ＰＯＮの光通信システムが開示されている（特許文献１参照）。
【０００７】
図８は、ＴＤＭ−ＰＯＮの光通信システムの構成の例を示す図である。図８では、光通信システムは、上位装置と、加入者線端局装置と、加入者線終端装置とを備える。加入者線端局装置は、モバイルフロントホールのサービスを加入者線終端装置に提供する。加入者線端局装置は、所定の他サービスを加入者線終端装置に提供する。
【０００８】
各サービスには、遅延に関する要求に応じて優先度（QoS: Quality of service）が定められている。以下、モバイルフロントホールのサービスの信号を「ＭＦＨ信号」という。加入者線端局装置は、モバイルフロントホールのサービスに定められた高い優先度に基づいて、加入者線終端装置に転送する。加入者線端局装置は、他サービスに定められた低い優先度に基づいて、他サービス信号を加入者線終端装置に転送する。
【０００９】
モバイルフロントホールのサービスでは、ＭＦＨ信号の遅延に関する要求が厳しい。非特許文献３では、ＭＦＨ信号の遅延の最長時間は１００μｓである。他サービスの優先度と比較してモバイルフロントホールのサービスの優先度が高い場合には、加入者線端局装置は、ＭＦＨ信号を低遅延で加入者線終端装置に転送することが可能である。
【先行技術文献】
【特許文献】
【００１０】
【特許文献１】国際公開第２０１６／２０４２２６号
【非特許文献】
【００１１】
【非特許文献１】“ＮＴＴ技術ジャーナル、技術基礎講座[GE-PON技術]、第一回 PONとは”，［online］，2005年，日本電信電話株式会社，［平成27年5月21日検索］，インターネット <URL http://www.ntt.co.jp/journal/0508/files/jn200508071.pdf>
【非特許文献２】T. Kobayashi, H. Ou, D. Hisano, T. Shimada, J. Terada, and A. Otaka, “Bandwidth Allocation scheme based on Simple Statistical Traffic Analysis for TDM-PON based Mobile Fronthaul,” in Proc. of OFC2016,  pp. W3C.7, Mar. 2016.
【非特許文献３】eCPRI Specification V1.0, Aug. 2017.
【発明の概要】
【発明が解決しようとする課題】
【００１２】
しかしながら、加入者線端局装置は、他サービス信号を加入者線終端装置に転送している場合、転送中の他サービスの転送処理が完了するまでは、ＭＦＨ信号を加入者線終端装置に転送することができない。ＴＤＭ−ＰＯＮのリンクレートが１０Ｇｂｉｔ／ｓであり、他サービス信号のフレーム長が１５００ｂｙｔｅである場合、ＭＦＨ信号の転送待ち時間の最長時間は、１．２μｓ（＝１５００ｂｙｔｅ×８（ｂｉｔ／ｂｙｔｅ）／１０Ｇ（ｂｉｔ／ｓ））である。
【００１３】
他サービス信号にジャンボフレームが使用されている場合、ジャンボフレームは、ＭＦＨ信号の転送待ち時間に大きな影響を及ぼす。例えば、ジャンボフレームのフレーム長が９０００ｂｙｔｅである場合、ＭＦＨ信号の転送待ち時間の最長時間は、７．２μs（＝９０００ｂｙｔｅ×８（ｂｉｔ／ｂｙｔｅ）／１０Ｇ（ｂｉｔ／ｓ））である。実際にはヘッダが付与されることによるオーバヘッドが存在するので、ＭＦＨ信号の転送待ち時間の最長時間は７．２μsよりも長い。
【００１４】
ＴＤＭ−ＰＯＮの光アクセスリンクにおける１ｋｍあたりの伝搬遅延時間は、約５μｓ／ｋｍである。よって、他サービス信号にジャンボフレームが使用されているＴＤＭ−ＰＯＮの光信号の転送可能距離は、ジャンボフレームが使用されていない場合と比較して約１．５ｋｍも短い。
【００１５】
しかしながら、従来の加入者線端局装置は、サービスに応じて異なる優先度の信号を転送する場合、高い優先度のサービスの信号の転送待ち時間を低減することができない場合があった。
【００１６】
上記事情に鑑み、本発明は、サービスに応じて異なる優先度の信号を転送する場合、高い優先度のサービスの信号の転送待ち時間を低減することが可能である加入者線端局装置及び信号転送方法を提供することを目的としている。
【課題を解決するための手段】
【００１７】
本発明の一態様は、低い優先度のサービスの低優先信号と高い優先度のサービスの高優先信号とを到来順に取得する取得部と、前記低優先信号及び前記高優先信号を前記優先度ごとに格納するバッファと、前記低優先信号を記録媒体に複製する複製処理部と、前記低優先信号を前記バッファから転送中に前記高優先信号を前記バッファが格納したか否かを判定する制御部と、前記低優先信号を前記バッファから転送中に前記高優先信号を前記バッファが格納したと判定された場合、前記低優先信号の転送を停止してから前記高優先信号の転送を開始し、前記高優先信号の転送の完了後に、複製された未転送の前記低優先信号を前記バッファから転送する転送部とを備える加入者線端局装置である。
【００１８】
本発明の一態様は、上記の加入者線端局装置であって、前記低優先信号を前記バッファから転送中に前記高優先信号を前記バッファが格納したと判定された場合、前記低優先信号のフレームを分割する分割処理部を更に備え、前記転送部は、分割された前記フレームの区切りで、転送中の前記低優先信号の転送を停止する。
【００１９】
本発明の一態様は、上記の加入者線端局装置であって、前記分割処理部によって分割されたフレームの前記低優先信号を前記バッファから削除する削除処理部を更に備える。
【００２０】
本発明の一態様は、上記の加入者線端局装置であって、前記低優先信号を前記転送部が転送中に前記高優先信号を前記バッファが格納した場合前記、取得部に新たに取得された前記低優先信号のサービスの優先度が更に低くなるように、前記バッファにおける前記低優先信号の格納先のキューを変更する変更処理部を更に備える。
【００２１】
本発明の一態様は、加入者線端局装置が実行する信号転送方法であって、低い優先度のサービスの低優先信号と高い優先度のサービスの高優先信号とを到来順に取得するステップと、前記低優先信号及び前記高優先信号を前記優先度ごとに格納するステップと、前記低優先信号を記録媒体に複製するステップと、前記低優先信号を前記バッファから転送中に前記高優先信号を前記バッファが格納したか否かを判定するステップと、前記低優先信号を前記バッファから転送中に前記高優先信号を前記バッファが格納したと判定された場合、前記低優先信号の転送を停止してから前記高優先信号の転送を開始し、前記高優先信号の転送の完了後に、複製された未転送の前記低優先信号を前記バッファから転送するステップとを含む信号転送方法である。
【発明の効果】
【００２２】
本発明により、サービスに応じて異なる優先度の信号を転送する場合、高い優先度のサービスの信号の転送待ち時間を低減することが可能である。
【図面の簡単な説明】
【００２３】
【図１】第１実施形態における、光通信システムの構成の例を示す図である。
【図２】第１実施形態における、加入者線端局装置の動作の例を示すフローチャートである。
【図３】第２実施形態における、光通信システムの構成の例を示す図である。
【図４】第２実施形態における、加入者線端局装置の動作の例を示すフローチャートである。
【図５】第１実施形態及び第２実施形態における、他サービス信号のフレームの分割の例を示す図である。
【図６】第３実施形態における、光通信システムの構成の例を示す図である。
【図７】モバイルフロントホールの構成の例を示す図である。
【図８】ＴＤＭ−ＰＯＮの光通信システムの構成の例を示す図である。
【発明を実施するための形態】
【００２４】
本発明の実施形態について、図面を参照して詳細に説明する。
【００２５】
（第１実施形態）
図１は、光通信システム１００ａの構成の例を示す図である。光通信システム１００ａは、光信号を用いるＴＤＭ−ＰＯＮの通信システムである。光通信システム１００ａは、上位装置１と、加入者線端局装置２ａと、Ｎ（Ｎは１以上の整数）台の加入者線終端装置３とを備える。
【００２６】
下りの信号には、遅延に関する要求に応じて優先度（優先クラス）が定められている。ＭＦＨ信号には、他サービス信号と比較して高い優先度が定められている。ＭＦＨ信号には、最も高い優先度が定められてもよい。
【００２７】
上位装置１は、加入者線終端装置３よりも上位の装置である。上位装置１は、例えばコア網及びメトロ網を介して、加入者線終端装置３に接続される。上位装置１は、複数のサービスの信号を加入者線端局装置２ａに送信する。例えば、上位装置１は、ＭＦＨ信号を加入者線端局装置２ａに送信する。上位装置１は、所定の他サービス信号を加入者線端局装置２ａに送信する。
【００２８】
加入者線端局装置２ａは、複数のサービスの信号を上位装置１から取得する。例えば、加入者線端局装置２ａは、ＭＦＨ信号を上位装置１から取得する。加入者線端局装置２ａは、所定の他サービス信号を上位装置１から取得する。加入者線端局装置２ａは、取得された他サービス信号を複製する。加入者線端局装置２ａは、複製された他サービス信号を、加入者線終端装置３−ｎ（ｎは、１からＮまでの整数のいずれか）に転送する。加入者線端局装置２ａは、加入者線終端装置３に転送された他サービス信号の複製を、加入者線端局装置２ａから削除する。
【００２９】
加入者線端局装置２ａは、転送中の他サービス信号に定められている優先度よりも高い優先度が定められているＭＦＨ信号を上位装置１から取得した場合、転送中の他サービス信号の転送を停止する。加入者線端局装置２ａは、転送が停止された他サービス信号のフレームを分割する。フレームの分割サイズ及び分割数は、任意の値に予め定められる。
【００３０】
加入者線端局装置２ａは、転送が停止された他サービス信号のフレームの分割が完了した場合、他サービス信号の転送を中断して、優先度の高いサービスのＭＦＨ信号を割り込みで転送する。加入者線端局装置２ａは、優先度の高いサービスのＭＦＨ信号の転送が完了した場合、分割されたフレームの他サービス信号を加入者線終端装置３に転送する。
【００３１】
加入者線端局装置２ａは、分割されたフレームの他サービス信号の転送が完了した場合、転送が停止された他サービス信号の転送を再開する。転送の再開処理では、加入者線端局装置２ａは、複製された他サービス信号のフレームを加入者線終端装置３に転送する。
【００３２】
加入者線終端装置３は、ＭＦＨ信号を加入者線端局装置２ａから取得する。加入者線終端装置３は、複製された他サービス信号を加入者線端局装置２ａから取得する。加入者線端局装置２ａが他サービス信号の転送を中断してＭＦＨ信号を転送するので、加入者線終端装置３は、フレーム割り込み処理（Frame Preemption）に対応していなくてもよい。
【００３３】
加入者線端局装置２ａは、取得部２０と、振分処理部２１と、制御部２２と、複製処理部２３と、分割処理部２４と、バッファ２５と、転送部２６とを、下りリンクに関する構成として備える。
【００３４】
各機能部のうち一部又は全部は、例えば、ＬＳＩ（Large Scale Integration）やＡＳＩＣ（Application Specific Integrated Circuit）等のハードウェアを用いて実現される。各機能部のうち一部又は全部は、ＣＰＵ（Central Processing Unit）等のプロセッサが、記憶装置に記憶されたプログラムを実行することにより実現されてもよい。記憶装置は、例えばフラッシュメモリ、ＨＤＤ（Hard Disk Drive）などの不揮発性の記録媒体（非一時的な記録媒体）である。
【００３５】
取得部２０は、複数のサービスの信号を、信号の到来順に上位装置１から取得する。例えば、取得部２０は、ＭＦＨ信号を上位装置１から取得する。取得部２０は、他サービス信号を上位装置１から取得する。
【００３６】
振分処理部２１は、上位装置１から取得された信号から抽出された情報に基づいて、取得された信号の送信先である加入者線終端装置３−ｎを検出する。振分処理部２１は、送信先の検出結果に応じて、取得された信号をキュー群２５０のいずれかに振り分ける。振分処理部２１は、信号から抽出されたＬＬＩＤ（Logical link ID）に応じて、キュー群２５０に信号を格納してもよい。振分処理部２１は、信号から抽出されたＶＬＡＮ（Virtual LAN）タグに応じて、キュー群２５０に信号を格納してもよい。
【００３７】
制御部２２は、キュー群２５０に格納されている信号の転送タイミングを制御する。すなわち、制御部２２は、下りの信号の転送のスケジューリングを実行する。制御部２２は、取得部２０又はバッファ２５がＭＦＨ信号を取得した場合、バッファ２５及び転送部２６が他サービス信号を転送中であるか否かを判定する。
【００３８】
バッファ２５及び転送部２６が他サービス信号を転送中であると判定された場合、制御部２２は、転送中の他サービス信号のフレームを分割するよう、分割処理部２４に指示を出力する。制御部２２は、分割されたフレームの区切りで他サービス信号の転送を停止するよう、バッファ２５及び転送部２６に指示を出力する。制御部２２は、取得されたＭＦＨ信号を優先して転送するよう、バッファ２５及び転送部２６に指示を出力する。
【００３９】
制御部２２は、ＭＦＨ信号の転送をバッファ２５及び転送部２６が完了した場合、分割されたフレームの未転送の他サービス信号を転送するようバッファ２５及び転送部２６に指示を出力する。制御部２２は、分割されたフレームの未転送の他サービス信号の転送をバッファ２５及び転送部２６が完了した場合、複製された未転送の他サービス信号を転送するようバッファ２５及び転送部２６に指示を出力する。制御部２２は、転送された他サービス信号の複製を複製処理部２３の記録媒体から削除するよう複製処理部２３に指示を出力する。
【００４０】
複製処理部２３は、ＲＡＭ（Random Access Memory）などの揮発性の記録媒体を備える。複製処理部２３は、例えばフラッシュメモリ、ＨＤＤなどの不揮発性の記録媒体（非一時的な記録媒体）を備えてもよい。複製処理部２３は、取得部２０によって取得された他サービス信号を、バッファ２５から取得する。複製処理部２３は、取得された他サービス信号を複製処理部２３の記録媒体に複製する。複製処理部２３は、転送部２６によって転送された他サービス信号の複製を、複製処理部２３の記録媒体から削除する。
【００４１】
分割処理部２４は、転送中の他サービス信号のフレームを分割する指示を、制御部２２から取得する。分割処理部２４は、バッファ２５から転送中の他サービス信号のフレームを、制御部２２による制御に応じて分割する。
【００４２】
バッファ２５は、キュー群２５０−ｎを備える。キュー群２５０−ｎは、例えば、ＲＡＭなどの揮発性の記録媒体である。キュー群２５０−ｎは、サービスに定められた優先度（優先クラス）ごとに、キュー２５１を備える。キュー群２５０−ｎは、Ｍ（Ｍは２以上の整数）個のキュー２５１−ｎを備える。キュー２５１−ｎ−ｍ（ｍは、１からＭまでのいずれか）は、優先度がｍと定められたサービスの信号を格納する。
【００４３】
図１では、キュー群２５０−ｎは、取得部２０に取得された信号を加入者線終端装置３−ｎに送信する。これによって、加入者線端局装置２ａは、信号の種別（フレーム種別）に応じて、信号の転送に関する優先制御を実行することができる。例えば、電話サービスの優先度は、ネットサーフィン等のブラウジングサービスの優先度と比較して高い優先度に予め定められる。バッファ２５は、制御部２２による優先制御によって決定された送信順に基づいて、信号を転送部２６に出力する。バッファ２５は、分割されたフレームの区切りで、転送中の他サービス信号の転送を停止する。
【００４４】
転送部２６は、キュー群２５０−ｎに格納されている信号を、ベースバンド信号として取得する。転送部２６は、キュー群２５０−ｎから取得されたベースバンド信号に光変調処理を施す光装置である。転送部２６は、光変調処理の結果として得られた光信号を、下り光信号として加入者線終端装置３−ｎに転送する。加入者線終端装置３は、光ファイバを介して、転送部２６から転送された下り光信号を取得する。加入者線終端装置３は、光信号に関して、加入者線端局装置２ａによって分割されたフレームを再結合する。
【００４５】
次に、加入者線端局装置２ａの動作の例を説明する。
図２は、加入者線端局装置２ａの動作の例を示すフローチャートである。以下では説明を簡単にするため、ＭＦＨ信号のサービスには、最も高い優先度が定められている。他サービス信号のサービスには、ＭＦＨ信号のサービスに定められた優先度の次に高い優先度が定められている。
【００４６】
複製処理部２３は、取得部２０によって取得された他サービス信号を複製する（ステップＳ１０１）。転送部２６は、複製処理部２３によって複製された他サービス信号を、バッファ２５から加入者線終端装置３に転送する（ステップＳ１０２）。制御部２２は、バッファ２５がＭＦＨ信号を格納したか否かを判定する（ステップＳ１０３）。
【００４７】
バッファ２５がＭＦＨ信号を格納していない場合（ステップＳ１０３：Ｎｏ）、制御部２２は、ＭＦＨ信号をバッファ２５が格納したか否かを所定周期で判定する。バッファ２５がＭＦＨ信号を格納した場合（ステップＳ１０３：Ｙｅｓ）、制御部２２は、バッファ２５及び転送部２６が他サービス信号を転送中であるか否かを判定する。すなわち、制御部２２は、他サービス信号をバッファ２５及び転送部２６が転送中にＭＦＨ信号をバッファ２５が格納したか否かを判定する（ステップＳ１０４）。バッファ２５及び転送部２６が他サービス信号を転送中である場合（ステップＳ１０４：Ｙｅｓ）、分割処理部２４は、バッファ２５から転送中の他サービス信号のフレームを分割する（ステップＳ１０５）。
【００４８】
バッファ２５及び転送部２６は、分割されたフレームの区切りで、転送中の他サービス信号の転送を停止する（ステップＳ１０６）。バッファ２５及び転送部２６は、ＭＦＨ信号を優先して転送する（ステップＳ１０７）。制御部２２は、ＭＦＨ信号の転送が完了したか否かを判定する（ステップＳ１０８）。ＭＦＨ信号の転送が完了していない場合（ステップＳ１０８：Ｎｏ）、バッファ２５及び転送部２６は、ステップＳ１０７に処理を戻し、ＭＦＨ信号を優先して転送する。
【００４９】
ＭＦＨ信号の転送が完了した場合（ステップＳ１０８：Ｙｅｓ）、バッファ２５及び転送部２６は、分割されたフレームの他サービス信号を転送する（ステップＳ１０９）。バッファ２５及び転送部２６は、複製処理部２３によって複製された未転送の他サービス信号を、加入者線終端装置３に転送する（ステップＳ１１０）。
【００５０】
制御部２２は、ＭＦＨ信号をバッファ２５が格納したか否かを判定する（ステップＳ１１１）。ＭＦＨ信号をバッファ２５が格納した場合（ステップＳ１１１：Ｙｅｓ）、バッファ２５及び転送部２６は、ステップＳ１０４に処理を戻し、他サービス信号をバッファ２５及び転送部２６が転送中であるか否かを判定する。
【００５１】
ＭＦＨ信号をバッファ２５が格納していない場合（ステップＳ１１１：Ｎｏ）、制御部２２は、他サービス信号の転送が完了したか否かを判定する（ステップＳ１１２）。他サービス信号の転送が完了していない場合（ステップＳ１１２：Ｎｏ）、バッファ２５及び転送部２６は、ステップＳ１１０に処理を戻し、複製処理部２３によって複製された他サービス信号を加入者線終端装置３に転送する。他サービス信号の転送が完了した場合（ステップＳ１１２：Ｎｏ）、複製処理部２３は、転送された他サービス信号の複製を、複製処理部２３の記録媒体から削除する（ステップＳ１１３）。
【００５２】
バッファ２５及び転送部２６が他サービス信号を転送中でない場合（ステップＳ１０４：Ｎｏ）、バッファ２５及び転送部２６は、ＭＦＨ信号を優先して転送する（ステップＳ１１４）。
【００５３】
以上のように、第１実施形態の加入者線端局装置２ａは、取得部２０と、バッファ２５と、複製処理部２３と、制御部２２と、転送部２６とを備える。取得部２０は、低い優先度のサービスの他サービス信号（低優先信号）と、高い優先度のサービスのＭＦＨ信号（高優先信号）とを、到来順に取得する。バッファ２５は、他サービス信号及びＭＦＨ信号を優先度ごとに格納する。複製処理部２３は、複製処理部２３の記録媒体に他サービス信号を複製する。制御部２２は、他サービス信号をバッファ２５から転送中にＭＦＨ信号をバッファ２５が格納したか否かを判定する。転送部２６は、他サービス信号をバッファから転送中にＭＦＨ信号をバッファが格納したと判定された場合、他サービス信号の転送を停止する。転送部２６は、他サービス信号の転送を停止してから、ＭＦＨ信号の転送を開始する。転送部２６は、ＭＦＨ信号の転送の完了後に、複製された未転送の他サービス信号をバッファ２５から転送する。
【００５４】
これによって、第１実施形態の加入者線端局装置２ａは、サービスに応じて異なる優先度の信号を転送する場合、高い優先度のサービスの信号の転送待ち時間を低減することが可能である。
【００５５】
複製処理部２３は、複製処理部２３の記録媒体に他サービス信号を複製する。これによって、加入者線端局装置２ａは、他サービス信号を予め複製しておくことによって、他サービス信号の転送を容易に再開することが可能である。
【００５６】
転送部２６は、分割されたフレームの区切りで、転送中の他サービス信号の転送を停止する。加入者線端局装置２ａは、他サービス信号の転送中に、ＭＦＨ信号の転送を割り込み処理で実行する。これにより、加入者線端局装置２ａは、ＭＦＨ信号の転送待ち時間を低減することができる。
【００５７】
（第２実施形態）
第２実施形態では、加入者線端局装置が削除処理部を更に備える点が、第１実施形態と相違する。第２実施形態では、第１実施形態との相違点についてのみ説明する。
【００５８】
第１実施形態では、転送部２６は、分割されたフレームの他サービス信号と複製された未転送の他サービス信号とを、ＭＦＨ信号の転送が完了した後で転送する。このため、分割されたフレームを加入者線終端装置が再結合することができない場合には、ＰＯＮの光通信システム１００ａにおける帯域利用の効率は低下してしまう。
【００５９】
図３は、光通信システム１００ｂの構成の例を示す図である。光通信システム１００ｂは、光信号を用いるＴＤＭ−ＰＯＮの通信システムである。光通信システム１００ｂは、上位装置１と、加入者線端局装置２ｂと、Ｎ台の加入者線終端装置３とを備える。
【００６０】
加入者線端局装置２ｂは、取得部２０と、振分処理部２１と、制御部２２と、複製処理部２３と、分割処理部２４と、バッファ２５と、転送部２６と、削除処理部２７とを、下りリンクに関する構成として備える。
【００６１】
削除処理部２７は、他サービス信号の転送が停止された場合、分割処理部２４によって分割されたフレームの他サービス信号をバッファ２５から削除する。すなわち、削除処理部２７は、ＭＦＨ信号が取得された場合、分割処理部２４によって分割されたフレームの他サービス信号を廃棄する。これによって、光通信システム１００ｂは、分割されたフレームを加入者線終端装置３が再結合することができない場合でも、帯域利用の効率が低下しないようにすることができる。
【００６２】
次に、加入者線端局装置２ｂの動作の例を説明する。
図４は、加入者線端局装置２ｂの動作の例を示すフローチャートである。ステップＳ２０１からステップＳ２０６までは、図２に示されたフローチャートにおけるステップＳ１０１からステップＳ１０６までと同じである。
【００６３】
削除処理部２７は、他サービス信号の転送が停止された場合、分割されたフレームの他サービス信号をバッファ２５から削除する（ステップＳ２０７）。バッファ２５及び転送部２６は、ＭＦＨ信号を優先して転送する（ステップＳ２０８）。制御部２２は、ＭＦＨ信号の転送が完了したか否かを判定する（ステップＳ２０９）。
【００６４】
ＭＦＨ信号の転送が完了していない場合（ステップＳ２０９：Ｎｏ）、バッファ２５及び転送部２６は、ステップＳ２０８に処理を戻し、ＭＦＨ信号を優先して転送する。ＭＦＨ信号の転送が完了している場合（ステップＳ２０９：Ｙｅｓ）、バッファ２５及び転送部２６は、分割されたフレームの他サービス信号を転送する（ステップＳ２１０）。ステップＳ２１０からステップＳ２１４までは、図２に示されたフローチャートにおけるステップＳ１１０からステップＳ１１４までと同じである。
【００６５】
以上のように、第２実施形態の加入者線端局装置２ｂは、取得部２０と、振分処理部２１と、制御部２２と、複製処理部２３と、分割処理部２４と、バッファ２５と、転送部２６と、削除処理部２７とを、下りリンクに関する構成として備える。削除処理部２７は、分割処理部２４によって分割されたフレームの他サービス信号をバッファ２５から削除する。これによって、第２実施形態の加入者線端局装置２ｂは、分割されたフレームを加入者線終端装置３が再結合することができない場合でも、帯域利用の効率が低下しないようにすることが可能である。第２実施形態の加入者線端局装置２ｂは、分割されたフレームの他サービス信号をバッファ２５から削除するので、ＭＦＨ信号の転送が完了した後で、複製された他サービス信号の転送を短時間で再開することが可能である。
【００６６】
（第３実施形態）
第３実施形態では、加入者線端局装置が変更処理部を更に備える点が、第２実施形態と相違する。第３実施形態では、第２実施形態との相違点についてのみ説明する。
【００６７】
図５は、第１実施形態及び第２実施形態における、他サービス信号のフレームの分割の例を示す図である。第１実施形態及び第２実施形態では、転送部２６は、分割されたフレームの他サービス信号と複製された未転送の他サービス信号とを、ＭＦＨ信号の転送が完了した後で転送する。複製された他サービス信号がバッファ２５に新たに格納された場合、他サービス信号のフレームの転送順は、フレームの到来順と比較して、格納のタイミングに応じて入れ替わる可能性がある。
【００６８】
図５では、分割処理部２４は、他サービス信号のフレーム４−１を、フレーム４−１−１とフレーム４−１−２とに分割する。転送部２６は、フレーム４−１−１、フレーム４−２、フレーム４−３、フレーム４−４、フレーム４−１−２の順に、他サービス信号のフレーム４を加入者線終端装置３に転送する。このように、他サービス信号のフレームの転送順は、フレームの到来順と比較して、格納のタイミングに応じて入れ替わる可能性がある。
【００６９】
図６は、光通信システム１００ｃの構成の例を示す図である。光通信システム１００ｃは、光信号を用いるＴＤＭ−ＰＯＮの通信システムである。光通信システム１００ｃは、上位装置１と、加入者線端局装置２ｃと、Ｎ台の加入者線終端装置３とを備える。加入者線端局装置２ｃは、取得部２０と、振分処理部２１と、制御部２２と、複製処理部２３と、分割処理部２４と、バッファ２５と、転送部２６と、削除処理部２７と、変更処理部２８とを、下りリンクに関する構成として備える。
【００７０】
変更処理部２８は、取得部２０に新たに取得された他サービス信号のサービスの優先度が更に低くなるように、他サービス信号の格納先のキュー２５１を変更する。すなわち、変更処理部２８は、取得部２０に新たに取得された他サービス信号のサービスの優先度が更に低くなるように、他サービス信号の振分を変更する。
【００７１】
変更処理部２８は、他サービス信号を転送部２６が転送中にＭＦＨ信号をバッファ２５が格納した場合、バッファ２５にＭＦＨ信号が格納された時刻以降にバッファ２５に取得された他サービス信号の格納先のキュー２５１を、一つ下の優先クラスのキュー２５１に格納する。例えば、変更処理部２８は、転送部２６が他サービス信号を転送中にキュー群２５０−１がＭＦＨ信号を取得した場合、ＭＦＨ信号が取得された時刻以降に取得された他サービス信号の格納先のキュー２５１−１−２を、一つ下の優先クラスのキュー２５１−１−３に格納する。これによって、変更処理部２８は、他サービス信号のフレームの転送順が入れ替わることを防ぐことが可能となる。
【００７２】
以上のように、第３実施形態の加入者線端局装置２ｃは、取得部２０と、振分処理部２１と、制御部２２と、複製処理部２３と、分割処理部２４と、バッファ２５と、転送部２６と、削除処理部２７と、変更処理部２８とを、下りリンクに関する構成として備える。変更処理部２８は、取得部２０に新たに取得された他サービス信号のサービスの優先度が更に低くなるように、他サービス信号の格納先のキュー２５１を変更する。これによって、第３実施形態の加入者線端局装置２ｃは、他サービス信号のフレームの転送順が入れ替わることを防ぐことが可能となる。
【００７３】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７４】
本発明は、光通信システムの加入者線端局装置に適用可能である。
【符号の説明】
【００７５】
１…上位装置、２ａ〜２ｃ…加入者線端局装置、３…加入者線終端装置、４…フレーム、２０…取得部、２１…振分処理部、２２…制御部、２３…複製処理部、２４…分割処理部、２５…バッファ、２６…転送部、２７…削除処理部、２８…変更処理部、１００ａ〜１００ｃ…光通信システム、２００…光ファイバ、２１０…スモールセル、２５０…キュー群、２５１…キュー
【図１】
2019129384.tif 000003
【図２】
2019129384.tif 000004
【図３】
2019129384.tif 000005
【図４】
2019129384.tif 000006
【図５】
2019129384.tif 000007
【図６】
2019129384.tif 000008
【図７】
2019129384.tif 000009
【図８】
2019129384.tif 000010